(57)【要約】フロントキャビネットと、フロントキャビネットに取り付けられ、開口（２１７）が設けられたバックキャビネット（２００）と、を有する筐体と、筐体の内部に配置されるフレーム（４２０）と、孔が設けられた引出部、引出部から突出した脚部、を有するロック取付部（２１０）と、フレーム（４２０）に取り付けられる固定部、引出部を引き出し可能な隙間を形成し、引出部が引き出された状態で脚部を引っ掛ける引っ掛け部、を有するフック部（４１０）と、を有するロック取付機構と、を備える。バックキャビネット（２００）は、ロック取付部（２１０）の可動範囲を規制する保持部を有する。この保持部は、引出部が開口（２１７）から引き出され得る位置にロック取付部（２１０）が配置されるよう脚部を保持する。
2014147680.tif 000002
【特許請求の範囲】
【請求項１】
フロントキャビネットと、前記フロントキャビネットに取り付けられ、開口が設けられたバックキャビネットと、を有する筐体と、
前記筐体の内部に配置されるフレームと、
孔が設けられた引出部、前記引出部から突出した脚部、を有するロック取付部と、前記フレームに取り付けられる固定部、前記引出部を引き出し可能な隙間を形成し、前記引出部が引き出された状態で前記脚部を引っ掛ける引っ掛け部、を有するフック部と、を有するロック取付機構と、を備え、
前記バックキャビネットは、前記ロック取付部の可動範囲を規制する保持部であって、前記引出部が前記開口から引き出され得る位置に前記ロック取付部が配置されるよう前記脚部を保持する保持部を有する、
電子機器。
【請求項２】
前記フレームは、金属で形成される、
請求項１に記載の電子機器。
【請求項３】
開口が設けられたバックキャビネットと、孔が設けられた引出部、前記引出部から突出した脚部、を有するロック取付部と、前記ロック取付部の可動範囲を規制し、前記引出部が前記開口から引き出され得る位置に配置されるよう前記脚部を保持した保持部と、を備える、背面本体を準備し、
フロントキャビネットと、前記フロントキャビネットに取り付けられるフレームと、前記フレームに取り付けられる固定部、前記引出部を引き出し可能な隙間を形成し、前記引出部が引き出された状態で前記脚部を引っ掛ける引っ掛け部、を有するフック部と、を備える、前面本体を準備し、
前記背面本体と前記前面本体とを組み付ける、
電子機器の組み立て方法。
【発明の詳細な説明】
【技術分野】
【０００１】
本開示は電子機器、電子機器の組み立て方法に関する。
【背景技術】
【０００２】
特許文献１は、コンピュータを開示する。このコンピュータは、盗難防止用の専用ロックを取り付けるロック穴が形成されたプレートを備える。このコンピュータは、プレートを内部に、或いは背面に沿って収納できる。【０００３】
これにより、このコンピュータは、ロック穴による本体の筐体の専有面積を最小限とし、その外観が損なわれるのを防止できる。
【先行技術文献】
【特許文献】
【０００４】
【特許文献１】特開２０００−２０７０５５号公報
【発明の概要】
【０００５】
本開示における電子機器は、フロントキャビネットと、フロントキャビネットに取り付けられ、開口が設けられたバックキャビネットと、を有する筐体と、筐体の内部に配置されるフレームと、孔が設けられた引出部、引出部から突出した脚部、を有するロック取付部と、フレームに取り付けられる固定部、引出部を引き出し可能な隙間を形成し、引出部が引き出された状態で脚部を引っ掛ける引っ掛け部、を有するフック部と、を有するロック取付機構と、を備えている。バックキャビネットは、ロック取付部の可動範囲を規制する保持部であって、引出部が開口から引き出され得る位置にロック取付部が配置されるよう脚部を保持する保持部を有する。
【０００６】
また、本開示における電子機器の組み立て方法は、開口が設けられたバックキャビネットと、孔が設けられた引出部、引出部から突出した脚部、を有するロック取付部と、ロック取付部の可動範囲を規制し、引出部が開口から引き出され得る位置に配置されるよう脚部を保持した保持部と、を備える、背面本体を準備する。また、フロントキャビネットと、フロントキャビネットに取り付けられるフレームと、フレームに取り付けられる固定部、引出部を引き出し可能な隙間を形成し、引出部が引き出された状態で脚部を引っ掛ける引っ掛け部、を有するフック部と、を備える、前面本体を準備する。そして、背面本体と前面本体とを組み付ける。
【０００７】
これにより、ロック取付部を引き出し可能で、バックキャビネットに切込みが入っていない、電子機器を提供できる。
【図面の簡単な説明】
【０００８】
【図１】図１は、タブレット端末１００を示す分解斜視図である。
【図２】図２は、ロック取付部２１０を示す斜視図である。
【図３】図３は、ロック取付部２１０が保持されたバックキャビネット２００を示す平面図である。
【図４】図４は、バックキャビネット２００に保持されたロック取付部２１０の状態を示す斜視図である。
【図５】図５は、フック部４１０が固定されたフレーム４２０を含む表示パネル４００を示す平面図である。
【図６】図６は、フック部４１０を示す斜視図である。
【図７Ａ】図７Ａは、タブレット端末１００の組み立て方法を説明するための模式図である。
【図７Ｂ】図７Ｂは、タブレット端末１００の組み立て方法を説明するための模式図である。
【図７Ｃ】図７Ｃは、タブレット端末１００の組み立て方法を説明するための模式図である。
【図８Ａ】図８Ａは、ロック取付部２１０の取り得る状態を説明するための斜視図である。
【図８Ｂ】図８Ｂは、ロック取付部２１０の取り得る状態を説明するための斜視図である。
【図８Ｃ】図８Ｃは、ロック取付部２１０の取り得る状態を説明するための斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、本実施の形態は、当業者が本開示を十分に理解するために添付図面および以下の説明を提供するのであって、これらによって請求の範囲に記載の主題を限定することを意図するものではない。
【００１１】
（実施の形態１）
以下、図１〜図８Ｃを用いて、実施の形態１を説明する。
【００１２】
１．タブレット端末の構成
タブレット端末１００の構成について図１を用いて説明する。図１は、タブレット端末１００の分解斜視図である。
【００１３】
タブレット端末１００は、背面本体２２０と前面本体４４０とを含む。背面本体２２０は、バックキャビネット２００、及びロック取付部２１０を含む。バックキャビネット２００は、表示パネル４００に組み付けられることで筐体を形成するバックキャビネットである。バックキャビネット２００は、樹脂等で形成される。バックキャビネット２００には、開口２１７が形成されている。ロック取付部２１０は、盗難防止用のロックを取り付けるための金属製の部品である。例えば、ロック取付部２１０は、亜鉛合金で形成される。ロック取付部２１０は、開口２１７から引き出し可能な位置に、バックキャビネット２００により保持される。
【００１４】
前面本体４４０は、表示パネル４００、フレーム４２０、基板４３０、及びフック部４１０を含む。表示パネル４００は、画像を表示するパネルを有するフロントキャビネットである。フレーム４２０は、表示パネル４００上に配置される金属製のフレームである。例えば、フレーム４２０は、マグネシウム合金で形成される。基板４３０は、ＣＰＵ（Ｃｅｎｔｒａｌ  Ｐｒｏｃｅｓｓｉｎｇ  Ｕｎｉｔ）等の電子部品が実装される基板である。基板４３０は、フレーム４２０上に配置される。フック部４１０は、ロック取付部２１０を引っ掛けるための金属製の部品である。例えば、フック部４１０は、ステンレスで形成される。フック部４１０は、フレーム４２０に対して固定されている。
【００１５】
２．ロック取付部の構成
ロック取付部２１０の構成について図２〜図４を用いて説明する。図２は、ロック取付部２１０を示す斜視図である。図３は、バックキャビネット２００を下方から示した平面図である。図４は、図３の領域Ａに対応する部分を拡大したロック取付部２１０周辺を示す斜視図である。
【００１６】
図２に示すように、ロック取付部２１０は、孔２１１が形成された引出部２１２、脚部２１４、脚部２１４に形成された脚部２１３を含む。引出部２１２は、バックキャビネット２００の開口２１７から引き出される部分である。引出部２１２に形成された孔２１１は、盗難防止用のロックが通される孔である。脚部２１４は、フック部４１０に引っ掛けられる脚である。脚部２１３は、バックキャビネット２００により保持される脚である。
【００１７】
図３、図４に示すように、ロック取付部２１０の脚部２１３は、板バネ２１５により保持される。板バネ２１５は、両端ではバネの幅が広く、中央部分に近づくにつれてバネの幅が狭くなるように形成された板バネである。図４に示した状態において、ロック取付部２１０の引出部２１２は、バックキャビネット２００の内側に収納されているといえる。ロック取付部２１０の脚部２１３が板バネ２１５の中央部分を越えて移動すると、ロック取付部２１０の引出部２１２は、バックキャビネット２００の外側に引き出されているといえる。板バネ２１５は、ロック取付部２１０の可動範囲を規制しているといえる。ロック取付部２１０の引出部２１２を引き出すユーザは、ロック取付部２１０の脚部２１３が板バネ２１５の中央部分を越える際、クリック感を得ることができる。
【００１８】
３．フック部の構成
フック部４１０の構成について図５、図６を用いて説明する。図５は、フレーム４２０を上方から示した平面図である。図６は、図５の領域Ｂに対応する部分を拡大したフック部４１０を示す斜視図である。
【００１９】
図５、図６に示すように、フック部４１０は、固定部４１１、摺動面４１４、引っ掛け部４１２を含む。固定部４１１は、ネジ穴である。固定部４１１にネジが締められることで、フック部４１０はフレーム４２０に固定される。摺動面４１４は、ロック取付部２１０を滑らせるための面である。引っ掛け部４１２は、ロック取付部２１０の脚部２１４を引っ掛けるための爪である。引っ掛け部４１２は、摺動面４１４に対して反り返るように形成されている。フック部４１０において、２つの引っ掛け部４１２は、間に隙間４１３を形成している。隙間４１３は、ロック取付部２１０の引出部２１２を引き出すための隙間である。
【００２０】
４．タブレット端末の組み立て方法
タブレット端末１００の組み立て方法に関して図７Ａ〜図７Ｃを用いて説明する。図７Ａ〜図７Ｃは、タブレット端末１００の組み立て方法を説明するための模式図である。
【００２１】
まず、組み立て者は、フック部４１０が固定されたフレーム４２０、及び基板４３０が配置された表示パネル４００、並びに板バネ２１５によりロック取付部２１０の脚部２１３が保持されたバックキャビネット２００を準備する。組み立て者は、図７Ａに示すように、準備したバックキャビネット２００と表示パネル４００とを向かい合わせる。そして、組み立て者は、図７Ｂに示すように、バックキャビネット２００と表示パネル４００とを向かい合わせて組み付ける。バックキャビネット２００と表示パネル４００とを向かい合わせて組み付けると、ロック取付部２１０は、図７Ｃに示すように、バックキャビネット２００から引き出し可能となる。図７Ｂに示す状態から図７Ｃに示す状態に遷移する際に、ロック取付部２１０の脚部２１３は、板バネ２１５の中央部分を越える。図７Ｃに示す状態に遷移すると、ロック取付部２１０の脚部２１３は、フック部４１０に引っ掛かる。
【００２２】
５．ロック取付部の動き
タブレット端末１００が組み立てられた状態においての、ロック取付部２１０の動きについて図８Ａ〜図８Ｃを用いて説明する。図８Ａ〜図８Ｃは、ロック取付部２１０の動きを示す斜視図である。
【００２３】
図８Ａに示すように、ロック取付部２１０は、タブレット端末１００の内部に収納可能である。図８Ａに示す状態において、ロック取付部２１０を引き出すことで、図８Ｂに示す状態になる。図８Ｂに示す状態は、図７Ｃに示す状態に対応している。図８Ｂに示す状態において、ロック取付部２１０を回転方向に持ち上げると、脚部２１４が摺動面４１４を摺動し、図８Ｃに示す状態になる。つまり、ロック取付部２１０は、脚部２１４を軸として回動可能な状態で、タブレット端末１００内に保持されている。ロック取付部２１０の脚部２１４は、丸型の引っ掛け部４１２に引っ掛かっているからである。
【００２４】
６．効果等
このように、本開示のタブレット端末１００は、筐体と、フレーム４２０と、ロック取付機構と、を備える。筐体は、表示パネル４００と、表示パネル４００に取り付けられ、開口２１７が設けられたバックキャビネット２００と、を有する。フレーム４２０は、筐体の内部に配置される。ロック取付機構は、ロック取付部２１０と、フック部４１０とを有する。ロック取付部２１０は、孔２１１が設けられた引出部２１２、引出部２１２から突出した脚部２１４、を有する。フック部４１０は、フレーム４２０に取り付けられる固定部４１１、引出部２１２を引き出し可能な隙間４１３を形成し、引出部２１２が引き出された状態で脚部２１４を引っ掛ける引っ掛け部４１２、を有する。バックキャビネット２００は、ロック取付部２１０の可動範囲を規制する板バネ２１５を有する。この板バネ２１５は、引出部２１２が開口２１７から引き出され得る位置にロック取付部２１０が配置されるよう脚部２１３を保持する。
【００２５】
これにより、本開示のタブレット端末１００は、図４の領域２１６のような領域を切り込むことなく、ロック取付機構をタブレット端末１００内に収納できる。仮に、ロック取付部２１０をバックキャビネット２００側で保持せず、表示パネル４００側のフック部４１０上に予め配置されている場合を考える。この場合には、図４の領域２１６のような領域が切り込まれていなければ、バックキャビネット２００を表示パネル４００に対して組み付けられない。フック部４１０上に予め配置されているロック取付部２１０にバックキャビネット２００の端部が引っ掛かるためである。
【００２６】
また、本開示のタブレット端末１００において、フレーム４２０は金属で形成される。フック部４１０は、樹脂等で形成されるバックキャビネット２００ではなく、金属製のフレーム４２０に固定されている。
【００２７】
これにより、バックキャビネット２００が樹脂等の金属よりも強度が低い材料で形成されている場合には、本開示のタブレット端末１００は、ロック取付機構の強度を、フック部４１０をバックキャビネット２００に固定した場合よりも高くできる。
【００２８】
また、本開示のタブレット端末１００の組み立て方法は、開口２１７が設けられたバックキャビネット２００と、孔２１１が設けられた引出部２１２、引出部２１２から突出した脚部２１４、を有するロック取付部２１０と、ロック取付部２１０の可動範囲を規制し、引出部２１２が開口２１７から引き出され得る位置に配置されるよう脚部２１３を保持した板バネ２１５と、を備える、背面本体２２０を準備する。また、表示パネル４００と、表示パネル４００に取り付けられるフレーム４２０と、フレーム４２０に取り付けられる固定部４１１、引出部２１２を引き出し可能な隙間４１３を形成し、引出部２１２が引き出された状態で脚部２１４を引っ掛ける引っ掛け部４１２、を有するフック部４１０と、を備える、前面本体４４０を準備する。そして、背面本体２２０と前面本体４４０とを組み付ける。
【００２９】
これにより、本開示のタブレット端末１００の組み立て方法は、図４の領域２１６のような領域を切り込むことなく、タブレット端末１００を組み立てられる。
【００３０】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３１】
そこで、以下、他の実施の形態を例示する。
【００３２】
実施の形態１においては、フック部４１０の引っ掛け部４１２を丸型の形状とした。しかしながら、必ずしもこのような構成に限定されない。フック部の引っ掛け部は、丸型に近い形状や、角張った形状でもよい。要するに、フック部の引っ掛け部は、引出部が引き出された状態で脚部を引っ掛ける形状であればよい。
【００３３】
また、実施の形態１においては、フック部４１０は２つの引っ掛け部４１２を有することとした。しかしながら、必ずしもこのような構成に限定されない。例えば、フック部は、１つの引っ掛け部を有するような構成であってもよい。この場合には、引出部は、１つの引っ掛け部とフック部の側壁が形成する隙間を引き出し可能な構成とし、ロック取付部は、１つの脚部を有するような構成としてもよい。
【００３４】
また、実施の形態１においては、ロック取付部２１０の脚部２１３を板バネ２１５が保持することとした。しかしながら、必ずしもこのような構成に限定されない。例えば、板バネがロック取付部２１０の脚部２１４を保持するような構成としてもよい。また、ロック取付部２１０を保持するのは、板バネ２１５のような板バネである必要はなく、単に、ロック取付部２１０を挟むだけのような部品であってもよい。
【００３５】
また、実施の形態１においては、フック部４１０は、フレーム４２０とは別部品であるとした。しかしながら、必ずしもこのような構成に限定されない。例えば、フック部とフレームとを一体に形成してもよい。
【００３６】
また、実施の形態１においては、フロントキャビネットの一例として表示パネル４００を例示した。しかしながら、必ずしもこのような構成に限定されない。例えば、フロントキャビネットは、表示パネルを有さないカバーのようなものであってもよい。
【００３７】
以上のように、本開示における技術の例示として、実施の形態を説明した。そのために、添付図面および詳細な説明を提供した。
【００３８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３９】
また、上述の実施の形態は、本開示における技術を例示するためのものであるから、請求の範囲またはその均等の範囲において種々の変更、置き換え、付加、省略などを行うことができる。
【産業上の利用可能性】
【００４０】
本開示は、タブレット端末、パーソナルコンピュータ等の電子機器や、タブレット端末、パーソナルコンピュータ等の電子機器の組み立て方法に適用できる。
【符号の説明】
【００４１】
１００  タブレット端末
２００  バックキャビネット
２１０  ロック取付部
２１１  孔
２１２  引出部
２１３  脚部
２１４  脚部
２１５  板バネ
２１６  領域
２１７  開口
２２０  背面本体
４００  表示パネル
４１０  フック部
４１１  固定部
４１２  引っ掛け部
４１３  隙間
４１４  摺動面
４２０  フレーム
４３０  基板
４４０  前面本体
【図１】
2014147680.tif 000003
【図２】
2014147680.tif 000004
【図３】
2014147680.tif 000005
【図４】
2014147680.tif 000006
【図５】
2014147680.tif 000007
【図６】
2014147680.tif 000008
【図７Ａ】
2014147680.tif 000009
【図７Ｂ】
2014147680.tif 000010
【図７Ｃ】
2014147680.tif 000011
【図８Ａ】
2014147680.tif 000012
【図８Ｂ】
2014147680.tif 000013
【図８Ｃ】
2014147680.tif 000014
【手続補正書】
【提出日】平成27年6月11日(2015.6.11)
【手続補正１】
【補正対象書類名】明細書
【補正対象項目名】全文
【補正方法】変更
【補正の内容】
【発明の詳細な説明】
【技術分野】
【０００１】
本開示は電子機器、電子機器の組み立て方法に関する。
【背景技術】
【０００２】
特許文献１は、コンピュータを開示する。このコンピュータは、盗難防止用の専用ロックを取り付けるロック穴が形成されたプレートを備える。このコンピュータは、プレートを内部に、或いは背面に沿って収納できる。
【０００３】
これにより、このコンピュータは、ロック穴による本体の筐体の専有面積を最小限とし、その外観が損なわれるのを防止できる。
【先行技術文献】
【特許文献】
【０００４】
【特許文献１】特開２０００−２０７０５５号公報
【発明の概要】
【０００５】
本開示における電子機器は、フロントキャビネットと、フロントキャビネットに取り付けられ、開口が設けられたバックキャビネットと、を有する筐体と、筐体の内部に配置されるフレームと、孔が設けられた引出部、引出部から突出した脚部、を有するロック取付部と、フレームに取り付けられる固定部、引出部を引き出し可能な隙間を形成し、引出部が引き出された状態で脚部を引っ掛ける引っ掛け部、を有するフック部と、を有するロック取付機構と、を備えている。バックキャビネットは、ロック取付部の可動範囲を規制する保持部であって、引出部が開口から引き出され得る位置にロック取付部が配置されるよう脚部を保持する保持部を有する。
【０００６】
また、本開示における電子機器の組み立て方法は、開口が設けられたバックキャビネットと、孔が設けられた引出部、引出部から突出した脚部、を有するロック取付部と、ロック取付部の可動範囲を規制し、引出部が開口から引き出され得る位置に配置されるよう脚部を保持した保持部と、を備える、背面本体を準備する。また、フロントキャビネットと、フロントキャビネットに取り付けられるフレームと、フレームに取り付けられる固定部、引出部を引き出し可能な隙間を形成し、引出部が引き出された状態で脚部を引っ掛ける引っ掛け部、を有するフック部と、を備える、前面本体を準備する。そして、背面本体と前面本体とを組み付ける。
【０００７】
これにより、ロック取付部を引き出し可能で、バックキャビネットに切込みが入っていない、電子機器を提供できる。
【図面の簡単な説明】
【０００８】
【図１】図１は、タブレット端末１００を示す分解斜視図である。
【図２】図２は、ロック取付部２１０を示す斜視図である。
【図３】図３は、ロック取付部２１０が保持されたバックキャビネット２００を示す平面図である。
【図４】図４は、バックキャビネット２００に保持されたロック取付部２１０の状態を示す斜視図である。
【図５】図５は、フック部４１０が固定されたフレーム４２０を含む表示パネル４００を示す平面図である。
【図６】図６は、フック部４１０を示す斜視図である。
【図７Ａ】図７Ａは、タブレット端末１００の組み立て方法を説明するための模式図である。
【図７Ｂ】図７Ｂは、タブレット端末１００の組み立て方法を説明するための模式図である。
【図７Ｃ】図７Ｃは、タブレット端末１００の組み立て方法を説明するための模式図である。
【図８Ａ】図８Ａは、ロック取付部２１０の取り得る状態を説明するための斜視図である。
【図８Ｂ】図８Ｂは、ロック取付部２１０の取り得る状態を説明するための斜視図である。
【図８Ｃ】図８Ｃは、ロック取付部２１０の取り得る状態を説明するための斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、本実施の形態は、当業者が本開示を十分に理解するために添付図面および以下の説明を提供するのであって、これらによって請求の範囲に記載の主題を限定することを意図するものではない。
【００１１】
（実施の形態１）
以下、図１〜図８Ｃを用いて、実施の形態１を説明する。
【００１２】
１．タブレット端末の構成
タブレット端末１００の構成について図１を用いて説明する。図１は、タブレット端末１００の分解斜視図である。
【００１３】
タブレット端末１００は、背面本体２２０と前面本体４４０とを含む。背面本体２２０は、バックキャビネット２００、及びロック取付部２１０を含む。バックキャビネット２００は、表示パネル４００に組み付けられることで筐体を形成するバックキャビネットである。バックキャビネット２００は、樹脂等で形成される。バックキャビネット２００には、開口２１７が形成されている。ロック取付部２１０は、盗難防止用のロックを取り付けるための金属製の部品である。例えば、ロック取付部２１０は、亜鉛合金で形成される。ロック取付部２１０は、開口２１７から引き出し可能な位置に、バックキャビネット２００により保持される。
【００１４】
前面本体４４０は、表示パネル４００、フレーム４２０、基板４３０、及びフック部４１０を含む。表示パネル４００は、画像を表示するパネルを有するフロントキャビネットである。フレーム４２０は、表示パネル４００上に配置される金属製のフレームである。例えば、フレーム４２０は、マグネシウム合金で形成される。基板４３０は、ＣＰＵ（Ｃｅｎｔｒａｌ  Ｐｒｏｃｅｓｓｉｎｇ  Ｕｎｉｔ）等の電子部品が実装される基板である。基板４３０は、フレーム４２０上に配置される。フック部４１０は、ロック取付部２１０を引っ掛けるための金属製の部品である。例えば、フック部４１０は、ステンレスで形成される。フック部４１０は、フレーム４２０に対して固定されている。
【００１５】
２．ロック取付部の構成
ロック取付部２１０の構成について図２〜図４を用いて説明する。図２は、ロック取付部２１０を示す斜視図である。図３は、バックキャビネット２００を下方から示した平面図である。図４は、図３の領域Ａに対応する部分を拡大したロック取付部２１０周辺を示す斜視図である。
【００１６】
図２に示すように、ロック取付部２１０は、孔２１１が形成された引出部２１２、脚部２１４、脚部２１４に形成された脚部２１３を含む。引出部２１２は、バックキャビネット２００の開口２１７から引き出される部分である。引出部２１２に形成された孔２１１は、盗難防止用のロックが通される孔である。脚部２１４は、フック部４１０に引っ掛けられる脚である。脚部２１３は、バックキャビネット２００により保持される脚である。
【００１７】
図３、図４に示すように、ロック取付部２１０の脚部２１３は、板バネ２１５により保持される。板バネ２１５は、両端ではバネの幅が広く、中央部分に近づくにつれてバネの幅が狭くなるように形成された板バネである。図４に示した状態において、ロック取付部２１０の引出部２１２は、バックキャビネット２００の内側に収納されているといえる。ロック取付部２１０の脚部２１３が板バネ２１５の中央部分を越えて移動すると、ロック取付部２１０の引出部２１２は、バックキャビネット２００の外側に引き出されているといえる。板バネ２１５は、ロック取付部２１０の可動範囲を規制しているといえる。ロック取付部２１０の引出部２１２を引き出すユーザは、ロック取付部２１０の脚部２１３が板バネ２１５の中央部分を越える際、クリック感を得ることができる。
【００１８】
３．フック部の構成
フック部４１０の構成について図５、図６を用いて説明する。図５は、フレーム４２０を上方から示した平面図である。図６は、図５の領域Ｂに対応する部分を拡大したフック部４１０を示す斜視図である。
【００１９】
図５、図６に示すように、フック部４１０は、固定部４１１、摺動面４１４、引っ掛け部４１２を含む。固定部４１１は、ネジ穴である。固定部４１１にネジが締められることで、フック部４１０はフレーム４２０に固定される。摺動面４１４は、ロック取付部２１０を滑らせるための面である。引っ掛け部４１２は、ロック取付部２１０の脚部２１４を引っ掛けるための爪である。引っ掛け部４１２は、摺動面４１４に対して反り返るように形成されている。フック部４１０において、２つの引っ掛け部４１２は、間に隙間４１３を形成している。隙間４１３は、ロック取付部２１０の引出部２１２を引き出すための隙間である。
【００２０】
４．タブレット端末の組み立て方法
タブレット端末１００の組み立て方法に関して図７Ａ〜図７Ｃを用いて説明する。図７Ａ〜図７Ｃは、タブレット端末１００の組み立て方法を説明するための模式図である。
【００２１】
まず、組み立て者は、フック部４１０が固定されたフレーム４２０、及び基板４３０が配置された表示パネル４００、並びに板バネ２１５によりロック取付部２１０の脚部２１３が保持されたバックキャビネット２００を準備する。組み立て者は、図７Ａに示すように、準備したバックキャビネット２００と表示パネル４００とを向かい合わせる。そして、組み立て者は、図７Ｂに示すように、バックキャビネット２００と表示パネル４００とを向かい合わせて組み付ける。バックキャビネット２００と表示パネル４００とを向かい合わせて組み付けると、ロック取付部２１０は、図７Ｃに示すように、バックキャビネット２００から引き出し可能となる。図７Ｂに示す状態から図７Ｃに示す状態に遷移する際に、ロック取付部２１０の脚部２１３は、板バネ２１５の中央部分を越える。図７Ｃに示す状態に遷移すると、ロック取付部２１０の脚部２１３は、フック部４１０に引っ掛かる。
【００２２】
５．ロック取付部の動き
タブレット端末１００が組み立てられた状態においての、ロック取付部２１０の動きについて図８Ａ〜図８Ｃを用いて説明する。図８Ａ〜図８Ｃは、ロック取付部２１０の動きを示す斜視図である。
【００２３】
図８Ａに示すように、ロック取付部２１０は、タブレット端末１００の内部に収納可能である。図８Ａに示す状態において、ロック取付部２１０を引き出すことで、図８Ｂに示す状態になる。図８Ｂに示す状態は、図７Ｃに示す状態に対応している。図８Ｂに示す状態において、ロック取付部２１０を回転方向に持ち上げると、脚部２１４が摺動面４１４を摺動し、図８Ｃに示す状態になる。つまり、ロック取付部２１０は、脚部２１４を軸として回動可能な状態で、タブレット端末１００内に保持されている。ロック取付部２１０の脚部２１４は、丸型の引っ掛け部４１２に引っ掛かっているからである。
【００２４】
６．効果等
このように、本開示のタブレット端末１００は、筐体と、フレーム４２０と、ロック取付機構と、を備える。筐体は、表示パネル４００と、表示パネル４００に取り付けられ、開口２１７が設けられたバックキャビネット２００と、を有する。フレーム４２０は、筐体の内部に配置される。ロック取付機構は、ロック取付部２１０と、フック部４１０とを有する。ロック取付部２１０は、孔２１１が設けられた引出部２１２、引出部２１２から突出した脚部２１４、を有する。フック部４１０は、フレーム４２０に取り付けられる固定部４１１、引出部２１２を引き出し可能な隙間４１３を形成し、引出部２１２が引き出された状態で脚部２１４を引っ掛ける引っ掛け部４１２、を有する。バックキャビネット２００は、ロック取付部２１０の可動範囲を規制する板バネ２１５を有する。この板バネ２１５は、引出部２１２が開口２１７から引き出され得る位置にロック取付部２１０が配置されるよう脚部２１３を保持する。
【００２５】
これにより、本開示のタブレット端末１００は、図４の領域２１６のような領域を切り込むことなく、ロック取付機構をタブレット端末１００内に収納できる。仮に、ロック取付部２１０をバックキャビネット２００側で保持せず、表示パネル４００側のフック部４１０上に予め配置されている場合を考える。この場合には、図４の領域２１６のような領域が切り込まれていなければ、バックキャビネット２００を表示パネル４００に対して組み付けられない。フック部４１０上に予め配置されているロック取付部２１０にバックキャビネット２００の端部が引っ掛かるためである。
【００２６】
また、本開示のタブレット端末１００において、フレーム４２０は金属で形成される。フック部４１０は、樹脂等で形成されるバックキャビネット２００ではなく、金属製のフレーム４２０に固定されている。
【００２７】
これにより、バックキャビネット２００が樹脂等の金属よりも強度が低い材料で形成されている場合には、本開示のタブレット端末１００は、ロック取付機構の強度を、フック部４１０をバックキャビネット２００に固定した場合よりも高くできる。
【００２８】
また、本開示のタブレット端末１００の組み立て方法は、開口２１７が設けられたバックキャビネット２００と、孔２１１が設けられた引出部２１２、引出部２１２から突出した脚部２１４、を有するロック取付部２１０と、ロック取付部２１０の可動範囲を規制し、引出部２１２が開口２１７から引き出され得る位置に配置されるよう脚部２１３を保持した板バネ２１５と、を備える、背面本体２２０を準備する。また、表示パネル４００と、表示パネル４００に取り付けられるフレーム４２０と、フレーム４２０に取り付けられる固定部４１１、引出部２１２を引き出し可能な隙間４１３を形成し、引出部２１２が引き出された状態で脚部２１４を引っ掛ける引っ掛け部４１２、を有するフック部４１０と、を備える、前面本体４４０を準備する。そして、背面本体２２０と前面本体４４０とを組み付ける。
【００２９】
これにより、本開示のタブレット端末１００の組み立て方法は、図４の領域２１６のような領域を切り込むことなく、タブレット端末１００を組み立てられる。
【００３０】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００３１】
そこで、以下、他の実施の形態を例示する。
【００３２】
実施の形態１においては、フック部４１０の引っ掛け部４１２を丸型の形状とした。しかしながら、必ずしもこのような構成に限定されない。フック部の引っ掛け部は、丸型に近い形状や、角張った形状でもよい。要するに、フック部の引っ掛け部は、引出部が引き出された状態で脚部を引っ掛ける形状であればよい。
【００３３】
また、実施の形態１においては、フック部４１０は２つの引っ掛け部４１２を有することとした。しかしながら、必ずしもこのような構成に限定されない。例えば、フック部は、１つの引っ掛け部を有するような構成であってもよい。この場合には、引出部は、１つの引っ掛け部とフック部の側壁が形成する隙間を引き出し可能な構成とし、ロック取付部は、１つの脚部を有するような構成としてもよい。
【００３４】
また、実施の形態１においては、ロック取付部２１０の脚部２１３を板バネ２１５が保持することとした。しかしながら、必ずしもこのような構成に限定されない。例えば、板バネがロック取付部２１０の脚部２１４を保持するような構成としてもよい。また、ロック取付部２１０を保持するのは、板バネ２１５のような板バネである必要はなく、単に、ロック取付部２１０を挟むだけのような部品であってもよい。
【００３５】
また、実施の形態１においては、フック部４１０は、フレーム４２０とは別部品であるとした。しかしながら、必ずしもこのような構成に限定されない。例えば、フック部とフレームとを一体に形成してもよい。
【００３６】
また、実施の形態１においては、フロントキャビネットの一例として表示パネル４００を例示した。しかしながら、必ずしもこのような構成に限定されない。例えば、フロントキャビネットは、表示パネルを有さないカバーのようなものであってもよい。
【００３７】
以上のように、本開示における技術の例示として、実施の形態を説明した。そのために、添付図面および詳細な説明を提供した。
【００３８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３９】
また、上述の実施の形態は、本開示における技術を例示するためのものであるから、請求の範囲またはその均等の範囲において種々の変更、置き換え、付加、省略などを行うことができる。
【産業上の利用可能性】
【００４０】
本開示は、タブレット端末、パーソナルコンピュータ等の電子機器や、タブレット端末、パーソナルコンピュータ等の電子機器の組み立て方法に適用できる。
【符号の説明】
【００４１】
１００    タブレット端末
２００    バックキャビネット
２１０    ロック取付部
２１１    孔
２１２    引出部
２１３    脚部
２１４    脚部
２１５    板バネ
２１６    領域
２１７    開口
２２０    背面本体
４００    表示パネル
４１０    フック部
４１１    固定部
４１２    引っ掛け部
４１３    隙間
４１４    摺動面
４２０    フレーム
４３０    基板
４４０    前面本体
【手続補正２】
【補正対象書類名】特許請求の範囲
【補正対象項目名】全文
【補正方法】変更
【補正の内容】
【特許請求の範囲】
【請求項１】
フロントキャビネットと、前記フロントキャビネットに取り付けられ、開口が設けられたバックキャビネットと、を有する筐体と、
前記筐体の内部に配置されるフレームと、
孔が設けられた引出部、前記引出部から突出した脚部、を有するロック取付部と、前記フレームに取り付けられる固定部、前記引出部を引き出し可能な隙間を形成し、前記引出部が引き出された状態で前記脚部を引っ掛ける引っ掛け部、を有するフック部と、を有するロック取付機構と、を備え、
前記バックキャビネットは、前記ロック取付部の可動範囲を規制する保持部であって、前記引出部が前記開口から引き出され得る位置に前記ロック取付部が配置されるよう前記脚部を保持する保持部を有する、
電子機器。
【請求項２】
前記フレームは、金属で形成される、
請求項１に記載の電子機器。
【請求項３】
開口が設けられたバックキャビネットと、孔が設けられた引出部、前記引出部から突出した脚部、を有するロック取付部と、前記ロック取付部の可動範囲を規制し、前記引出部が前記開口から引き出され得る位置に配置されるよう前記脚部を保持した保持部と、を備える、背面本体を準備し、
フロントキャビネットと、前記フロントキャビネットに取り付けられるフレームと、前記フレームに取り付けられる固定部、前記引出部を引き出し可能な隙間を形成し、前記引出部が引き出された状態で前記脚部を引っ掛ける引っ掛け部、を有するフック部と、を備える、前面本体を準備し、
前記背面本体と前記前面本体とを組み付ける、
電子機器の組み立て方法。
【手続補正３】
【補正対象書類名】図面
【補正対象項目名】全図
【補正方法】変更
【補正の内容】
【図１】
2014147680.tif 000015
【図２】
2014147680.tif 000016
【図３】
2014147680.tif 000017
【図４】
2014147680.tif 000018
【図５】
2014147680.tif 000019
【図６】
2014147680.tif 000020
【図７Ａ】
2014147680.tif 000021
【図７Ｂ】
2014147680.tif 000022
【図７Ｃ】
2014147680.tif 000023
【図８Ａ】
2014147680.tif 000024
【図８Ｂ】
2014147680.tif 000025
【図８Ｃ】
2014147680.tif 000026
【国際調査報告】
2014147680.tif 000027
2014147680.tif 000028
2014147680.tif 000029
2014147680.tif 000030